(57)【要約】【課題】インピーダンス調整用の配線を不要とする蓄電システムを提供する。【解決手段】蓄電システムは、正極電極および負極電極を有する複数の蓄電池からなり、各蓄電池の正極電極および負極電極を直列に接続した複数の電池ストリングＢＳ１〜ＢＳ６と、複数の電池ストリングＢＳ１〜ＢＳ６の各正極電極の間を並列に接続する正極配線ＰＷと、複数の電池ストリングＢＳ１〜ＢＳ６の各負極電極の間を並列に接続する負極配線ＮＷと、を有し、正極配線ＰＷの最終端と負極配線ＮＷの最終端とは、引き出し方がたすき掛け状になっている。そして、正極配線ＰＷおよび負極配線ＮＷは、各電池ストリングＢＳ１〜ＢＳ６の並列ごとの配線の合成インピーダンスを等しくして接続されている。さらに、複数の電池ストリングＢＳ１〜ＢＳ６は、偶数個からなる。【選択図】図１
2015125979.tif 000002
【特許請求の範囲】
【請求項１】
正極電極および負極電極を有する複数の蓄電池からなり、各蓄電池の正極電極および負極電極を直列に接続した複数の電池ストリングと、
前記複数の電池ストリングの各正極電極の間を並列に接続する正極配線と、
前記複数の電池ストリングの各負極電極の間を並列に接続する負極配線と、
を有し、
前記正極配線の最終端と前記負極配線の最終端とは、引き出し方がたすき掛け状になっている、蓄電システム。
【請求項２】
請求項１記載の蓄電システムにおいて、
前記複数の電池ストリングは、偶数個からなる、蓄電システム。
【請求項３】
請求項２記載の蓄電システムにおいて、
前記複数の電池ストリングを収納する複数の電池盤をさらに有し、
前記複数の電池ストリングのうちの第１の電池ストリングは前記複数の電池盤のうちの第１の電池盤に収納され、
前記複数の電池ストリングのうちの第２の電池ストリングは前記複数の電池盤のうちの第２の電池盤に収納され、
前記第１の電池ストリングの正極電極と前記第２の電池ストリングの正極電極との間を並列に接続する正極配線の最終端と、前記第１の電池ストリングの負極電極と前記第２の電池ストリングの負極電極との間を並列に接続する負極配線の最終端とは、引き出し方がたすき掛け状になっている、蓄電システム。
【請求項４】
請求項３記載の蓄電システムにおいて、
前記正極配線および前記負極配線の最終端に接続される外部出力正極端子および外部出力負極端子を収納する端子盤をさらに有する、蓄電システム。
【請求項５】
請求項２記載の蓄電システムにおいて、
前記複数の電池ストリングを収納する１つまたは複数の電池盤をさらに有し、
前記複数の電池ストリングのうちの第１の電池ストリングおよび第２の電池ストリングは前記１つの電池盤または前記複数の電池盤のうちの第１の電池盤に収納され、
前記第１の電池ストリングの正極電極と前記第２の電池ストリングの正極電極との間を並列に接続する正極配線の最終端と、前記第１の電池ストリングの負極電極と前記第２の電池ストリングの負極電極との間を並列に接続する負極配線の最終端とは、引き出し方がたすき掛け状になっている、蓄電システム。
【請求項６】
請求項５記載の蓄電システムにおいて、
前記正極配線および前記負極配線の最終端に接続される外部出力正極端子および外部出力負極端子を収納する端子盤をさらに有する、蓄電システム。
【発明の詳細な説明】
【技術分野】
【０００１】
本発明は、蓄電システムに関し、例えば、複数の蓄電池を直列に接続した複数の電池ストリングを並列に接続する蓄電システムに適用して有効な技術に関する。
【背景技術】
【０００２】
蓄電システムにおいて、複数の蓄電池（または複数の蓄電池を直列に接続した複数の電池ストリング）を並列に接続する場合、接続する配線の抵抗により各蓄電池の並列ごとのインピーダンスに差が発生する。インピーダンスの差が大きくなると、インピーダンスが小さい蓄電池により多くの電流が流れ、並列接続された蓄電池の電圧にばらつきが発生する。
【０００３】
蓄電池の一例として、例えばリチウムイオン電池がある。リチウムイオン電池は、電池電圧の監視を行い、電圧の上限および下限の検知を行うため、電圧ばらつきが発生した場合、電流が多く流れる蓄電池が他の蓄電池に比べて下限電圧または上限電圧に早く達するため、蓄電池の利用範囲が狭くなることがある。
【０００４】
例えば、各蓄電池の並列ごとのインピーダンスの差を小さくするためには、並列接続を行う際に、同じ長さの配線を用いて上位装置に接続する方法がある。また、配線の長さや太さを変更して接続箇所ごとにインピーダンスを変更して差を小さくする方法がある。このような蓄電池のインピーダンスに着目した技術としては、例えば、特許文献１に記載のように、配線の長さを最短にしてインピーダンスを低減させる技術などがある。
【先行技術文献】
【特許文献】
【０００５】
【特許文献１】特開平１０−１０８３６１号公報
【発明の概要】
【発明が解決しようとする課題】
【０００６】
ところで、前述したような従来技術に関して、本発明者が検討した結果、以下のようなことが明らかとなった。
【０００７】
例えば、前述したような同じ長さの配線を用いて上位装置に接続する方法では、並列接続数の配線を上位装置に接続しなければならない。また、前述したような配線の長さや太さを変更する方法では、インピーダンスの差を小さくするために、配線の長さや太さでインピーダンスの調整を行っていたため、必要以上の配線が必要になっていた。
【０００８】
前述したどちらの方法も、並列数が多くなると、（１）インピーダンスを調整した分の配線を引き回すスペースが必要となり、また、（２）コストアップにつながり、さらに、（３）施工時の作業性が悪い、という課題が生じる。
【０００９】
そこで、本発明はこのような従来技術の課題に鑑みてなされたものであり、その代表的な目的は、インピーダンス調整用の配線を不要とする蓄電システムを提供することにある。
【００１０】
本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、次のとおりである。
【００１２】
すなわち、代表的な蓄電システムは、正極電極および負極電極を有する複数の蓄電池からなり、各蓄電池の正極電極および負極電極を直列に接続した複数の電池ストリングと、前記複数の電池ストリングの各正極電極の間を並列に接続する正極配線と、前記複数の電池ストリングの各負極電極の間を並列に接続する負極配線と、を有し、前記正極配線の最終端と前記負極配線の最終端とは、引き出し方がたすき掛け状になっている。そして、前記正極配線および前記負極配線は、各電池ストリングの並列ごとの配線の合成インピーダンスを等しくして接続されている。
【００１３】
さらに好ましくは、前記複数の電池ストリングは、偶数個からなる。
【発明の効果】
【００１４】
本願において開示される発明のうち、代表的なものによって得られる効果を簡単に説明すれば以下のとおりである。
【００１５】
すなわち、代表的な効果は、インピーダンス調整用の配線を不要とすることができる。この結果、インピーダンス調整用の配線が不要になるため、従来技術の（１）インピーダンスを調整した分の配線を引き回すスペースが必要、（２）コストアップ、（３）施工時の作業性が悪い、という課題を無くすことができる。
【図面の簡単な説明】
【００１６】
【図１】本発明の一実施の形態である蓄電システムの等価回路の一例を示す図である。
【図２】図１の等価回路において、各電池ストリングの並列ごとの配線の合成インピーダンスを等しくできることを説明するための図である。
【図３】本発明の一実施の形態である蓄電システムにおいて、第１の具体例の蓄電システムの外形を示す正面図である。
【図４】図３の蓄電システムの外形を示す上面図である。
【図５】図３の蓄電システムの外形を示す左側面図である。
【図６】図３〜図５の蓄電システムの外形において、電池配列を示す正面図である。
【図７】図６の電池配列を示す上面図である。
【図８】本発明の一実施の形態である蓄電システムにおいて、第２の具体例の蓄電システムの外形を示す正面図である。
【図９】図８の蓄電システムの外形を示す上面図である。
【図１０】図８〜図９の蓄電システムの外形において、電池配列を示す正面図である。
【図１１】図１０の電池配列を示す上面図である。
【図１２】本発明に対する比較例として、通常の蓄電システムの等価回路の一例を示す図である。
【発明を実施するための形態】
【００１７】
以下の実施の形態においては、便宜上その必要があるときは、複数のセクションまたは実施の形態に分割して説明するが、特に明示した場合を除き、それらは互いに無関係なものではなく、一方は他方の一部または全部の変形例、詳細、補足説明などの関係にある。また、以下の実施の形態において、要素の数など（個数、数値、量、範囲などを含む）に言及する場合、特に明示した場合および原理的に明らかに特定の数に限定される場合などを除き、その特定の数に限定されるものではなく、特定の数以上でも以下でもよい。
【００１８】
さらに、以下の実施の形態において、その構成要素（要素ステップなども含む）は、特に明示した場合および原理的に明らかに必須であると考えられる場合などを除き、必ずしも必須のものではないことは言うまでもない。同様に、以下の実施の形態において、構成要素などの形状、位置関係などに言及するときは、特に明示した場合および原理的に明らかにそうでないと考えられる場合などを除き、実質的にその形状などに近似または類似するものなどを含むものとする。このことは、上記数値および範囲についても同様である。
【００１９】
［実施の形態の概要］
まず、実施の形態の概要について説明する。本実施の形態の概要では、一例として、括弧内に実施の形態の対応する構成要素の符号などを付して説明する。
【００２０】
本実施の形態の代表的な蓄電システムは、正極電極および負極電極を有する複数の蓄電池からなり、各蓄電池の正極電極および負極電極を直列に接続した複数の電池ストリング（電池ストリングＢＳ１〜ＢＳ６）と、前記複数の電池ストリングの各正極電極の間を並列に接続する正極配線（正極配線ＰＷ）と、前記複数の電池ストリングの各負極電極の間を並列に接続する負極配線（負極配線ＮＷ）と、を有し、前記正極配線の最終端と前記負極配線の最終端とは、引き出し方がたすき掛け状になっている。そして、前記正極配線および前記負極配線は、各電池ストリングの並列ごとの配線の合成インピーダンスを等しくして接続されている。
【００２１】
さらに好ましくは、前記複数の電池ストリングは、偶数個からなる。
【００２２】
以下、上述した実施の形態の概要に基づいた実施の形態を図面に基づいて詳細に説明する。なお、実施の形態を説明するための全図において、同一の機能を有する部材には原則として同一の符号を付し、その繰り返しの説明は省略する。
【００２３】
［一実施の形態］
本実施の形態の蓄電システムを、図１〜図１１を用いて説明する。本実施の形態の蓄電システムは、これに限定されるものではないが、一例として、複数の蓄電池を直列に接続した複数の電池ストリングを並列に接続する蓄電システムである。
【００２４】
本実施の形態において、蓄電システムは、複数の電池ストリングが並列に接続されたストリング群からなる。電池ストリングは、複数の蓄電池が直列に接続された蓄電池群からなる。蓄電池は、複数の電池セルからなる充電可能な電池である。この蓄電池は、二次電池とも言う。蓄電池の一例として、例えばリチウムイオン電池がある。
【００２５】
＜蓄電システムの等価回路＞
図１は、本実施の形態である蓄電システムの等価回路の一例を示す図である。図２は、図１の等価回路において、各電池ストリングの並列ごとの配線の合成インピーダンスを等しくできることを説明するための図である。
【００２６】
本実施の形態の蓄電システムは、図１に示すように、複数の電池ストリングＢＳ１〜ＢＳ６と、正極配線ＰＷと、負極配線ＮＷとを有する。ここでは、電池ストリングＢＳ１〜ＢＳ６は、６個の例を図示しているが、これに限定されるものではない。
【００２７】
各電池ストリングＢＳ１〜ＢＳ６は、正極電極および負極電極を有する複数の蓄電池ＳＢ（後述する図３〜図７では２４個の蓄電池ＳＢ１〜ＳＢ２４の例、図８〜図１１では８個の蓄電池ＳＢ１〜ＳＢ８の例をそれぞれ図示しているが、これに限定されるものではない）からなり、各蓄電池ＳＢの正極電極および負極電極を直列に接続した電池ストリングである。
【００２８】
正極配線ＰＷは、各電池ストリングＢＳ１〜ＢＳ６の正極電極の間を並列に接続する配線である。負極配線ＮＷは、各電池ストリングＢＳ１〜ＢＳ６の負極電極の間を並列に接続する配線である。正極配線ＰＷの最終端と負極配線ＮＷの最終端とは、引き出し方がたすき掛け状になっている。そして、正極配線ＰＷおよび負極配線ＮＷは、各電池ストリングＢＳ１〜ＢＳ６の並列ごとの配線の合成インピーダンスを等しくして接続されている。
【００２９】
具体的に、図１の例では、正極配線ＰＷの最終端は第１の電池ストリングＢＳ１側から引き出されて外部出力正極端子ＰＴ（＋）となり、負極配線ＮＷの最終端は第６の電池ストリングＢＳ６側から引き出されて外部出力負極端子ＮＴ（−）となる。これにより、外部出力正極端子ＰＴ（＋）と外部出力負極端子ＮＴ（−）とは、引き出し方がたすき掛け状になっている。
【００３０】
さらに、電池ストリングＢＳ１〜ＢＳ６は、偶数個からなる。図１の例では、６個になっている。
【００３１】
図２を用いて、各電池ストリングＢＳ１〜ＢＳ６の並列ごとの配線の合成インピーダンスを等しくできることを説明する。
【００３２】
例えば、各電池ストリングＢＳ１〜ＢＳ６の正極電極間を接続する各配線、および各電池ストリングＢＳ１〜ＢＳ６の負極電極間を接続する各配線のインピーダンスを「Ｒ［Ω］」とし、かつ、正極配線ＰＷおよび負極配線ＮＷの最終端（外部出力正極端子ＰＴ（＋）、外部出力負極端子ＮＴ（−））と上位装置とを接続する各配線のインピーダンスを「３Ｒ［Ω］」とすると、各電池ストリングＢＳ１〜ＢＳ６の配線の合成インピーダンスは、以下のようになる。但し、ここでは、説明を分かり易くするために、各電池ストリングＢＳ１〜ＢＳ６の部分のインピーダンスは「０」であるものとする。
【００３３】
第１の電池ストリングＢＳ１に着目すると、上位装置の正極端子（Ｐ）から、第１の電池ストリングＢＳ１を通じて、上位装置の負極端子（Ｎ）への回路となる。この回路における合成インピーダンスは、３Ｒ＋（第１の電池ストリングＢＳ１）＋Ｒ＋Ｒ＋Ｒ＋Ｒ＋Ｒ＋３Ｒ＝１１Ｒとなる。
【００３４】
第２の電池ストリングＢＳ２に着目すると、上位装置の正極端子（Ｐ）から、第２の電池ストリングＢＳ２を通じて、上位装置の負極端子（Ｎ）への回路となる。この回路における合成インピーダンスは、３Ｒ＋Ｒ＋（第２の電池ストリングＢＳ２）＋Ｒ＋Ｒ＋Ｒ＋Ｒ＋３Ｒ＝１１Ｒとなる。
【００３５】
以降、第３〜第６の電池ストリングＢＳ３〜ＢＳ６においても同様であり、第６の電池ストリングＢＳ６では、上位装置の正極端子（Ｐ）から、第６の電池ストリングＢＳ６を通じて、上位装置の負極端子（Ｎ）への回路となる。この回路における合成インピーダンスは、３Ｒ＋Ｒ＋Ｒ＋Ｒ＋Ｒ＋Ｒ＋（第６の電池ストリングＢＳ６）＋３Ｒ＝１１Ｒとなる。
【００３６】
以上のように、本実施の形態の蓄電システムでは、上位装置に対して、各電池ストリングＢＳ１〜ＢＳ６の並列ごとの配線の合成インピーダンスを等しくし、各電池ストリングごとに流れる電流値を均等にすることができる。これにより、電圧降下のスピードのばらつきを小さくすることができるため、蓄電池の利用範囲が狭くなることがない。
【００３７】
＜第１の具体例の蓄電システムの外形と電池配列＞
図３〜図７は、本実施の形態である蓄電システムにおいて、第１の具体例の蓄電システムの外形と電池配列を示す図である。図３〜図５は蓄電システムの外形を示し、図３は正面図、図４は上面図、図５は左側面図を示している。図６〜図７は電池配列を示し、図６は正面図、図７は上面図を示している。
【００３８】
図３〜図５に示す蓄電システムの例では、６個の電池盤ＢＣ１〜ＢＣ６と、１個の端子盤ＴＣとを有する。６個の電池盤ＢＣ１〜ＢＣ６は、第１、第２、第３の電池盤ＢＣ１，ＢＣ２，ＢＣ３が側面を隣接して順に設置され、第４、第５、第６の電池盤ＢＣ４，ＢＣ５，ＢＣ６はそれぞれ、第３、第２、第１の電池盤ＢＣ３，ＢＣ２，ＢＣ１の背面に背面合わせで設置されている。よって、第１〜第３の電池盤ＢＣ１〜ＢＣ３の前面は正面側になり、第４〜第６の電池盤ＢＣ４〜ＢＣ６の前面は背面側になる。各電池盤ＢＣ１〜ＢＣ６の前面には、ハンドルＨＤを回すことにより開閉可能な片開き方式の扉ＤＲが設けられている。図４の上面図では、扉ＤＲが開いた状態を破線で示している。また、各電池盤ＢＣ１〜ＢＣ６の前面には、ネームプレートＮＰや換気口ＶＨなども設けられている。
【００３９】
１個の端子盤ＴＣは、第１の電池盤ＢＣ１と第６の電池盤ＢＣ６との左側面に設置されている。この端子盤ＴＣの前面には、ハンドルＨＤを回すことにより開閉可能な両開き方式の扉ＤＲが設けられている。図４の上面図では、扉ＤＲが開いた状態を破線で示している。また、端子盤ＴＣの前面には、ネームプレートＮＰなども設けられている。
【００４０】
図６〜図７に示す蓄電システムの例では、６個の電池ストリングＢＳ１〜ＢＳ６を収納する６個の電池盤ＢＣ１〜ＢＣ６を有し、各電池ストリングは各電池盤に収納されている。すなわち、第１の電池ストリングＢＳ１は第１の電池盤ＢＣ１に、第２の電池ストリングＢＳ２は第２の電池盤ＢＣ２に、第３の電池ストリングＢＳ３は第３の電池盤ＢＣ３に、第４の電池ストリングＢＳ４は第４の電池盤ＢＣ４に、第５の電池ストリングＢＳ５は第５の電池盤ＢＣ５に、第６の電池ストリングＢＳ６は第６の電池盤ＢＣ６に、それぞれ収納されている。なお、図６においては、説明を分かり易くするために、第４〜第６の電池盤ＢＣ４〜ＢＣ６を第１〜第３の電池盤ＢＣ１〜ＢＣ３の上側に記載しているが、実際には図７に示すように第４〜第６の電池盤ＢＣ４〜ＢＣ６は第３〜第１の電池盤ＢＣ３〜ＢＣ１の背面側に設置されている。
【００４１】
第１〜第６の各電池ストリングＢＳ１〜ＢＳ６の各正極電極間を並列に接続する盤間渡り配線の正極配線ＰＷの最終端と、第６〜第１の各電池ストリングＢＳ６〜ＢＳ１の各負極電極間を並列に接続する盤間渡り配線の負極配線ＮＷの最終端とは、引き出し方がたすき掛け状になっている。図６〜図７の例では、正極配線ＰＷの最終端は第１の電池ストリングＢＳ１側から引き出されて外部出力正極端子ＰＴ（＋）となり、負極配線ＮＷの最終端は第６の電池ストリングＢＳ６側から引き出されて外部出力負極端子ＮＴ（−）となる。これにより、外部出力正極端子ＰＴ（＋）と外部出力負極端子ＮＴ（−）とは、引き出し方がたすき掛け状になっている。
【００４２】
第１〜第６の各電池ストリングＢＳ１〜ＢＳ６は、図６〜図７の例では、２４個の蓄電池ＳＢ１〜ＳＢ２４が直列に接続されている（図６では、ＳＢ１，ＳＢ８，ＳＢ９，ＳＢ１６，ＳＢ１７，ＳＢ２４の符号のみを記載）。すなわち、第１の電池ストリングＢＳ１において、第１の蓄電池ＳＢ１の負極電極（−）と第２の蓄電池ＳＢ２の正極電極（＋）とが接続され、第２の蓄電池ＳＢ２の負極電極（−）と第３の蓄電池ＳＢ３の正極電極（＋）とが接続されている。以降、第４〜第２４の蓄電池ＳＢ４〜ＳＢ２４においても同様であり、第２３の蓄電池ＳＢ２３の負極電極（−）と第２４の蓄電池ＳＢ２４の正極電極（＋）とが接続されている。そして、第１の蓄電池ＳＢ１の正極電極（＋）が盤内配線を通じて盤間渡り配線の正極配線ＰＷに接続され、また、第２４の蓄電池ＳＢ２４の負極電極（−）が盤内配線を通じて盤間渡り配線の負極配線ＮＷに接続されている。
【００４３】
第２〜第６の各電池ストリングＢＳ２〜ＢＳ６においても同様であり、それぞれ、第１〜第２４の蓄電池ＳＢ１〜ＳＢ２４が、負極電極と正極電極とが順に直列に接続され、そして、第１の蓄電池ＳＢ１の正極電極が盤内配線を通じて盤間渡り配線の正極配線ＰＷに接続され、また、第２４の蓄電池ＳＢ２４の負極電極が盤内配線を通じて盤間渡り配線の負極配線ＮＷに接続されている。
【００４４】
盤間渡り配線の正極配線ＰＷおよび負極配線ＮＷの最終端は、それぞれ第１の電池盤ＢＣ１および第６の電池盤ＢＣ６から端子盤ＴＣに引き出されている。図６〜図７の例では、正極配線ＰＷの最終端は第１の電池盤ＢＣ１の左側面から引き出され、負極配線ＮＷの最終端は第６の電池盤ＢＣ６の左側面から引き出され、どちらの最終端も各電池盤の同じ面から端子盤ＴＣに引き出されている。なお、正極配線ＰＷおよび負極配線ＮＷの最終端は、各電池盤の左側面から引き出す場合に限らず、右側面や上面などから端子盤ＴＣに引き出すことも可能である。この端子盤ＴＣに、正極配線ＰＷおよび負極配線ＮＷの最終端に接続される外部出力正極端子ＰＴおよび外部出力負極端子ＮＴが設けられている。この端子盤ＴＣの外部出力正極端子ＰＴおよび外部出力負極端子ＮＴから、上位装置の正極端子および負極端子に接続される。
【００４５】
これに限定されるものではないが、例えば、盤間渡り配線は電線や銅バーなどを含む配線からなり、また、盤内配線は電線や銅バーなどを含む配線からなる。
【００４６】
以上のようにして、６個の各電池ストリングＢＳ１〜ＢＳ６が６個の各電池盤ＢＣ１〜ＢＣ６に収納された構成において、上位装置の正極端子および負極端子に対して、複数の蓄電池ＳＢ１〜ＳＢ２４が直列に接続された複数の電池ストリングＢＳ１〜ＢＳ６が並列に接続された形態の蓄電システムを構成することができる。
【００４７】
＜第２の具体例の蓄電システムの外形と電池配列＞
図８〜図１１は、本実施の形態である蓄電システムにおいて、第２の具体例の蓄電システムの外形と電池配列を示す図である。図８〜図９は蓄電システムの外形を示し、図８は正面図、図９は上面図を示している。図１０〜図１１は電池配列を示し、図１０は正面図、図１１は上面図を示している。
【００４８】
図８〜図９に示す蓄電システムの例では、３個の電池盤ＢＣ１〜ＢＣ３と、１個の端子盤ＴＣとを有する。３個の電池盤ＢＣ１〜ＢＣ３は、第１、第２、第３の電池盤ＢＣ１，ＢＣ２，ＢＣ３が側面を隣接して順に設置されている。各電池盤ＢＣ１〜ＢＣ３の前面には、ハンドルＨＤを回すことにより開閉可能な両開き方式の扉ＤＲが設けられている。図９の上面図では、扉ＤＲが開いた状態を破線で示している。また、各電池盤ＢＣ１〜ＢＣ３の前面には、ネームプレートＮＰや換気口ＶＨなども設けられている。また、各電池盤ＢＣ１〜ＢＣ３の上面には、換気口ＶＨが設けられている。
【００４９】
１個の端子盤ＴＣは、第１の電池盤ＢＣ１の左側面に設置されている。この端子盤ＴＣの前面には、ハンドルＨＤを回すことにより開閉可能な片開き方式の扉ＤＲが設けられている。図９の上面図では、扉ＤＲが開いた状態を破線で示している。また、端子盤ＴＣの前面には、ネームプレートＮＰなども設けられている。
【００５０】
図１０〜図１１に示す蓄電システムの例では、６個の電池ストリングＢＳ１〜ＢＳ６を２個ずつ収納する３個の電池盤ＢＣ１〜ＢＣ３を有し、２個ずつの電池ストリングは各電池盤に収納されている。すなわち、第１および第６の電池ストリングＢＳ１，ＢＳ６は第１の電池盤ＢＣ１に、第２および第５の電池ストリングＢＳ２，ＢＳ５は第２の電池盤ＢＣ２に、第３および第４の電池ストリングＢＳ３，ＢＳ４は第３の電池盤ＢＣ３に、それぞれ収納されている。第１〜第３の電池ストリングＢＳ１〜ＢＳ３は、各電池盤ＢＣ１〜ＢＣ３の上側に収納され、第６〜第４の電池ストリングＢＳ６〜ＢＳ４は、各電池盤ＢＣ１〜ＢＣ３の下側に収納されている。
【００５１】
第１〜第６の各電池ストリングＢＳ１〜ＢＳ６の各正極電極間を並列に接続する盤間渡り配線の正極配線ＰＷの最終端と、第６〜第１の各電池ストリングＢＳ６〜ＢＳ１の各負極電極間を並列に接続する盤間渡り配線の負極配線ＮＷの最終端とは、引き出し方がたすき掛け状になっている。図１０〜図１１の例では、正極配線ＰＷの最終端は第１の電池ストリングＢＳ１側から引き出されて外部出力正極端子ＰＴ（＋）となり、負極配線ＮＷの最終端は第６の電池ストリングＢＳ６側から引き出されて外部出力負極端子ＮＴ（−）となる。これにより、外部出力正極端子ＰＴ（＋）と外部出力負極端子ＮＴ（−）とは、引き出し方がたすき掛け状になっている。
【００５２】
第１〜第６の各電池ストリングＢＳ１〜ＢＳ６は、図１０〜図１１の例では、８個の蓄電池ＳＢ１〜ＳＢ８が直列に接続されている（図１０では、ＳＢ１，ＳＢ４，ＳＢ５，ＳＢ８の符号のみを記載）。すなわち、第１の電池ストリングＢＳ１において、第１の蓄電池ＳＢ１の負極電極（−）と第２の蓄電池ＳＢ２の正極電極（＋）とが接続され、第２の蓄電池ＳＢ２の負極電極（−）と第３の蓄電池ＳＢ３の正極電極（＋）とが接続されている。以降、第４〜第８の蓄電池ＳＢ４〜ＳＢ８においても同様であり、第７の蓄電池ＳＢ７の負極電極（−）と第８の蓄電池ＳＢ８の正極電極（＋）とが接続されている。そして、第１の蓄電池ＳＢ１の正極電極（＋）が盤内配線を通じて盤間渡り配線の正極配線ＰＷに接続され、また、第８の蓄電池ＳＢ８の負極電極（−）が盤内配線を通じて盤間渡り配線の負極配線ＮＷに接続されている。
【００５３】
第２〜第６の各電池ストリングＢＳ２〜ＢＳ６においても同様であり、それぞれ、第１〜第８の蓄電池ＳＢ１〜ＳＢ８が、負極電極と正極電極とが順に直列に接続され、そして、第１の蓄電池ＳＢ１の正極電極が盤内配線を通じて盤間渡り配線の正極配線ＰＷに接続され、また、第８の蓄電池ＳＢ８の負極電極が盤内配線を通じて盤間渡り配線の負極配線ＮＷに接続されている。
【００５４】
盤間渡り配線の正極配線ＰＷおよび負極配線ＮＷの最終端は、それぞれ第１の電池盤ＢＣ１の第１の電池ストリングＢＳ１および第６の電池ストリングＢＳ６から端子盤ＴＣに引き出されている。図１０〜図１１の例では、正極配線ＰＷの最終端は第１の電池盤ＢＣ１の左側面から引き出され、負極配線ＮＷの最終端は第１の電池盤ＢＣ１の左側面から引き出され、どちらの最終端も同じ電池盤の同じ面から端子盤ＴＣに引き出されている。なお、正極配線ＰＷおよび負極配線ＮＷの最終端は、同じ電池盤の左側面から引き出す場合に限らず、右側面や上面などから端子盤ＴＣに引き出すことも可能である。この端子盤ＴＣに、正極配線ＰＷおよび負極配線ＮＷの最終端に接続される外部出力正極端子ＰＴおよび外部出力負極端子ＮＴが設けられている。この端子盤ＴＣの外部出力正極端子ＰＴおよび外部出力負極端子ＮＴから、上位装置の正極端子および負極端子に接続される。
【００５５】
以上のようにして、６個のうちの２個ずつの電池ストリングＢＳ１〜ＢＳ６が３個の各電池盤ＢＣ１〜ＢＣ３に収納された構成において、上位装置の正極端子および負極端子に対して、複数の蓄電池ＳＢ１〜ＳＢ８が直列に接続された複数の電池ストリングＢＳ１〜ＢＳ６が並列に接続された形態の蓄電システムを構成することができる。
【００５６】
なお、２個ずつなどの複数個ずつの電池ストリングが各電池盤に収納される構成では、１個の電池盤のみの構成も可能であり、この場合には、１個の電池盤に複数個の電池ストリングを収納する構成となる。また、電池ストリングの数は、２個ずつに限らず、偶数個であればよい。また、蓄電池の数に制限はない。
【００５７】
＜本実施の形態の効果＞
以上説明した本実施の形態の蓄電システムによれば、複数の電池ストリングＢＳ１〜ＢＳ６の各正極電極の間を並列に接続する正極配線ＰＷ、複数の電池ストリングＢＳ１〜ＢＳ６の各負極電極の間を並列に接続する負極配線ＮＷなどを有することで、以下のような効果を得ることができる。
【００５８】
（１）正極配線ＰＷの最終端と負極配線ＮＷの最終端とは、引き出し方がたすき掛け状になっている。そして、正極配線ＰＷおよび負極配線ＮＷは、各電池ストリングＢＳ１〜ＢＳ６の並列ごとの配線の合成インピーダンスを等しくして接続することができる。これにより、インピーダンス調整用の配線を不要とすることができる。この結果、インピーダンス調整用の配線が不要になるため、配線を引き回すスペースの課題、コストアップの課題、施工時の作業性の課題をそれぞれ無くすことができる。
【００５９】
（２）複数の電池ストリングＢＳ１〜ＢＳ６は、偶数個から構成することができる。これにより、配線を引き回すスペース、コスト、および施工時の作業性に関する効果は、より一層、顕著となる。
【００６０】
（３）複数の電池ストリングＢＳ１〜ＢＳ６を収納する複数の電池盤ＢＣ１〜ＢＣ６，ＢＣ１〜ＢＣ３を有することで、１個の電池ストリングを１個の電池盤に収納するように、各電池ストリングＢＳ１〜ＢＳ６を各電池盤ＢＣ１〜ＢＣ６に収納することができる。また、２個ずつの電池ストリングを１個の電池盤に収納するように、複数個ずつの電池ストリングＢＳ１〜ＢＳ６を各電池盤ＢＣ１〜ＢＣ３に収納することもできる。
【００６１】
（４）外部出力正極端子ＰＴおよび外部出力負極端子ＮＴを収納する端子盤ＴＣを有することで、複数の電池ストリングＢＳ１〜ＢＳ６を並列に接続した正極配線ＰＷおよび負極配線ＮＷの最終端を、端子盤ＴＣの外部出力正極端子ＰＴおよび外部出力負極端子ＮＴを介して上位装置に接続することができる。また、正極配線ＰＷおよび負極配線ＮＷの最終端を、電池盤の同じ面から端子盤ＴＣに引き出すことで、配線を短くすることができるので、作業がしやすくなり、コストダウンにも繋がる。
【００６２】
（５）前記（１）などにより、複数の蓄電池ＳＢ１〜ＳＢ２４，ＳＢ１〜ＳＢ８を直列に接続した複数の電池ストリングＢＳ１〜ＢＳ６を並列に接続する蓄電システムにおいて、並列接続数が多い場合でも、配線のインピーダンス差を無くすことで、蓄電池の利用範囲が狭くなることを防ぐことができる。言い換えれば、各並列ごとの配線の合成インピーダンスを等しくし、各蓄電池ごとに流れる電流値を均等にすることで、電圧降下のスピードのばらつきを小さくすることができるため、蓄電池の利用範囲が狭くなることを防ぐことができる。
【００６３】
また、配線のインピーダンス差を無くすことができる効果は、並列接続数が多い蓄電システムになるほど大きくなる。例えば、本実施の形態の前述した図２と比較して、通常の蓄電システムの等価回路を示す図１２を用いて説明する。通常の蓄電システムでは、正極配線ＰＷの最終端と負極配線ＮＷの最終端とは、どちらも第１の電池ストリングＢＳ１側から引き出されて、それぞれ、外部出力正極端子ＰＴ（＋）、外部出力負極端子ＮＴ（−）となる。
【００６４】
このような通常の配線方法では、最短の配線ルートと最長の配線ルートとの配線インピーダンス差は大きくなる。例えば、第１の電池ストリングＢＳ１に着目すると、最短の配線ルートとなり、この最短の配線ルートでは配線インピーダンスは６Ｒ（３Ｒ＋３Ｒ）となる。一方、第６の電池ストリングＢＳ６に着目すると、最長の配線ルートとなり、この最長の配線ルートでは配線インピーダンスは１６Ｒ（３Ｒ＋Ｒ＋Ｒ＋Ｒ＋Ｒ＋Ｒ＋Ｒ＋Ｒ＋Ｒ＋Ｒ＋Ｒ＋３Ｒ）となる。第１の電池ストリングＢＳ１と第６の電池ストリングＢＳ６とに着目した場合に、配線ルートのインピーダンス差は１０Ｒとなる。また仮に、５０個の電池ストリングを並列接続する例を考えると、最短の配線ルートでは配線インピーダンスは６Ｒとなり、最長の配線ルートでは配線インピーダンスは１０４Ｒとなり、このインピーダンス差は９８Ｒとなる。このように、通常の配線方法では、並列接続数が増えるほど、インピーダンス差が大きくなる。
【００６５】
これに対して、本実施の形態においては、図２を用いて前述したように、第１〜第６の各電池ストリングＢＳ１〜ＢＳ６の配線ルートの配線インピーダンスは等しくなる。また仮に、５０個の電池ストリングを並列接続する例を考えても、インピーダンスは等しくなり、インピーダンス差は無い。これにより、本実施の形態では、並列接続数の多少に関わらず、各電池ストリングの配線ルートの配線インピーダンスは等しくなり、インピーダンス差は無いので、特に、並列接続数が多い場合に、この効果はより一層、顕著となる。
【００６６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００６７】
前記実施の形態は、本発明を分かり易く説明するために詳細に説明したものであり、必ずしも説明した全ての構成を備えるものに限定されるものではない。また、前記実施の形態において、ある構成の一部を他の構成に置き換えることが可能であり、また、ある構成に他の構成を加えることも可能である。また、各構成の一部について、他の構成の追加・削除・置換などを行うことも可能である。
【００６８】
例えば、前記実施の形態では、複数の蓄電池を直列に接続した複数の電池ストリングを並列に接続する蓄電システムについて説明したが、並列接続の単位は、電池ストリングに限らず、蓄電池の場合にも適用可能である。この場合には、蓄電システムは、正極電極および負極電極を有する複数の蓄電池の各正極電極の間を並列に接続する正極配線と、前記複数の蓄電池の各負極電極の間を並列に接続する負極配線と、を有し、前記正極配線の最終端と前記負極配線の最終端とは、引き出し方がたすき掛け状になっている。そして、前記正極配線および前記負極配線は、各蓄電池の並列ごとの配線の合成インピーダンスを等しくして接続されている。さらに好ましくは、前記複数の蓄電池は、偶数個からなる。
【符号の説明】
【００６９】
ＢＳ１〜ＢＳ６  電池ストリング
ＰＷ  正極配線
ＮＷ  負極配線
ＳＢ，ＳＢ１〜ＳＢ２４  蓄電池
ＢＣ１〜ＢＣ６  電池盤
ＴＣ  端子盤
ＨＤ  ハンドル
ＤＲ  扉
ＮＰ  ネームプレート
ＶＨ  換気口
ＰＴ  外部出力正極端子
ＮＴ  外部出力負極端子
【図１】
2015125979.tif 000003
【図２】
2015125979.tif 000004
【図３】
2015125979.tif 000005
【図４】
2015125979.tif 000006
【図５】
2015125979.tif 000007
【図６】
2015125979.tif 000008
【図７】
2015125979.tif 000009
【図８】
2015125979.tif 000010
【図９】
2015125979.tif 000011
【図１０】
2015125979.tif 000012
【図１１】
2015125979.tif 000013
【図１２】
2015125979.tif 000014